(57)【要約】【課題】軽量化やコストダウンを達成できる計器装置を提供する。【解決手段】第１の指針式表示部ＰＤ１と第２の指針式表示部ＰＤ２とが隣接してなる計器装置において、反射体６が第１の文字板８と第１の空間部Ｋ１を隔てて対向する第１の反射部６１と、第２の文字板９と第２の空間部Ｋ２を隔てて対向する第２の反射部６２とを有し、導光体７は長手状に延びる棒状体に形成され、第１の空間部Ｋ１内に配置される第１の導光部７１と、前記第２の空間部Ｋ２内に配置される第２の導光部７１とを連続して有する。【選択図】図１
2012073220.tif 000002
【特許請求の範囲】
【請求項１】
第１の駆動装置と、この第１の駆動装置によって動作する第１の指針と、この第１の指針の指示対象となる第１の指標部を有する第１の文字板とで構成される第１の指針式表示部と、第２の駆動装置と、この第２の駆動装置によって動作する第２の指針と、この第２の指針の指示対象となる第２の指標部を有する第２の文字板とで構成される第２の指針式表示部と、前記第１，第２の文字板の背後に配置される導光体と、この導光体を通じて前記第１，第２の指標部を照明する光源と、この光源からの光を反射する反射体とを少なくとも備え、前記第１の指針式表示部と前記第２の指針式表示部とが隣接してなる計器装置において、前記反射体は前記第１の文字板と第１の空間部を隔てて対向する第１の反射部と、前記第２の文字板と第２の空間部を隔てて対向する第２の反射部とを有し、前記導光体は線状体に形成され第１の空間部内に配置される第１の導光部と前記第２の空間部内に配置される第２の導光部とを連続して有することを特徴とする計器装置。
【請求項２】
前記導光体が前記第１，第２の指針の各回転中心に隣接した箇所を前記各回転中心を迂回するように配置されることを特徴とする請求項１記載の計器装置。
【請求項３】
前記第２の指針式表示部が前記第１の指針式表示部よりも小さく形成され、前記光源は前記第１の空間部内に配置され、前記第２の指針式表示部の前記指標部は前記第１の空間部内に配置された前記光源からの光によって照明されることを特徴とする請求項１または請求項２記載の計器装置。
【請求項４】
前記導光体が当該導光体内を進行する光をその延長方向とは異なる所定方向に向けて出射させるための反射部を有することを特徴とする請求項１〜３のうち何れか一項に記載の計器装置。
【請求項５】
前記導光体が前記第１の指針の回転中心近傍に、前記光源からの光を第１の指針方向に反射させる第１の反射部と、前記第２の指針の回転中心近傍に、前記光源からの光を前記第２の指針方向に反射させる第２の反射部とを備えたことを特徴とする請求項１〜４のうち何れかに記載の計器装置。
【請求項６】
前記導光体がその外周壁に光拡散部を備えたことを特徴とする請求項１〜５のうち何れかに記載の計器装置。
【請求項７】
前記導光体には、前記第１の指針の指針軸を貫通する貫通孔と、前記指針軸近傍に、前記光源からの光を第１の指針方向に反射させる第１の反射部と、を備えたことを特徴とする請求項１〜４のうち何れかに記載の計器装置。
【発明の詳細な説明】
【技術分野】
【０００１】
本発明は、例えば自動車やオートバイに搭載される計器装置に関し、特に複数の指針式計器を隣接させてなる計器装置に関する。
【背景技術】
【０００２】
この種の計器装置として例えば下記特許文献１に記載されたものが知られている。この計器装置は、指針とこの指針の指示対象となる指標部を有する文字板とで構成される複数の指針式表示部を隣接配置してなる。各指針式表示部を構成する文字板は、各指針式表示部毎に異なる指標部を有した一枚文字板からなり、指針は各指針式表示部毎に異なる指標部に応じて必要な数分文字板上に配置される。文字板の背後には文字板の形状に略沿った大きさの導光体が配置され、この導光体の側端面には、蛍光灯からなる線状光源が配置され、当該線状光源の光を導光体を通じて文字板に導き、各指標部を照明するようにしている。
【先行技術文献】
【特許文献】
【０００３】
【特許文献１】特開平０８−１８９８４４号公報
【発明の開示】
【発明が解決しようとする課題】
【０００４】
しかしながら、前記特許文献１に記載の計器装置は、互いに隣接する複数の指針式計器の文字板を照明するにあたり、細長い線状光源と大型の導光体を必要とするため、重量の増加やコスト高を招きやすいという問題がある。
【０００５】
そこで、本発明は前述した問題点に着目し、軽量化やコストダウンを達成できる計器装置を提供することを目的とする。
【課題を解決するための手段】
【０００６】
本発明は、第１の駆動装置と、この第１の駆動装置によって動作する第１の指針と、この第１の指針の指示対象となる第１の指標部を有する第１の文字板とで構成される第１の指針式表示部と、第２の駆動装置と、この第２の駆動装置によって動作する第２の指針と、この第２の指針の指示対象となる第２の指標部を有する第２の文字板とで構成される第２の指針式表示部と、前記第１，第２の文字板の背後に配置される導光体と、この導光体を通じて前記第１，第２の指標部を照明する光源と、この光源からの光を反射する反射体とを少なくとも備え、前記第１の指針式表示部と前記第２の指針式表示部とが隣接してなる計器装置において、前記反射体は前記第１の文字板と第１の空間部を隔てて対向する第１の反射部と、前記第２の文字板と第２の空間部を隔てて対向する第２の反射部とを有し、前記導光体は線状体に形成され第１の空間部内に配置される第１の導光部と前記第２の空間部内に配置される第２の導光部とを連続して有することを特徴とする。
このように構成することにより、棒状の導光体と反射体との組み合わせにより、広い範囲を照明でき、軽量化とコストダウンを達成できる。
【０００７】
また本発明は、前記導光体が前記第１，第２の指針の各回転中心に隣接した箇所を前記各回転中心を迂回するように配置されることを特徴とする。
このように構成することにより、指針の回転中心を基準に形成される各指標部を効率よく照明することができる。
【０００８】
また本発明は、前記第２の指針式表示部が前記第１の指針式表示部よりも小さく形成され、前記光源は前記第１の空間部内に配置され、前記第２の指針式表示部の前記指標部は前記第１の空間部内に配置された前記光源からの光によって照明されることを特徴とする。
このように構成することにより、サイズの大きい第１の指針式表示部側に配置した光源によって第１，第２の指針式表示部の双方を照明でき、光源を削減しながらも効率よく照明することができる。
【０００９】
また本発明は、前記導光体が当該導光体内を進行する光をその延長方向とは異なる所定方向に向けて出射させるための反射部を有することを特徴とする。
このように構成することにより、指標部を広範囲に効率よく照明することができる。
【００１０】
また本発明は、前記導光体が前記第１の指針の各回転中心に隣接した箇所に、前記光源からの光を第１の指針方向に反射させる第１の反射部と、前記第２の指針の各回転中心に隣接した箇所に、前記光源からの光を第２の指針方向に反射させる第２の反射部とを備えたことを特徴とする。
このように構成することにより、光源を削減しながら指針を効率よく照明することができる。
【００１１】
また本発明は、前記導光体がその外周壁に光拡散部を備えたことを特徴とする。
このように構成することにより、光源を削減しながら指標部を効率よく照明することができる。
【００１２】
また、本発明は、前記導光体に、前記第１の指針の指針軸を貫通する貫通孔と、前記指針軸近傍に、前記光源からの光を第１の指針方向に反射させる第１の反射部と、を備えたことを特徴とする。このように構成することにより、指標部用の光源を兼用しながら指針を効率よく照明することができる。
【発明の効果】
【００１３】
本発明によれば、軽量化とコストダウンを達成可能な計器装置を提供することができる。
【図面の簡単な説明】
【００１４】
【図１】本発明の第１の実施形態による計器装置の正面図。
【図２】図１のＡ−Ａ断面図（ハッチング省略）。
【図３】図１のＢ−Ｂ断面図（ハッチング省略）。
【図４】同実施形態の文字板を除いた要部斜視図。
【図５】本発明の第２の実施形態による計器装置の正面図。
【図６】同実施形態による導光体の正面図。
【図７】本発明の第３の実施形態による計器装置の正面図。
【図８】同実施形態による導光体の正面図。
【図９】図８のＣ−Ｃ断面図（ハッチング省略）。
【図１０】図８のＤ−Ｄ断面図（ハッチング省略）。
【発明を実施するための形態】
【００１５】
（第１の実施形態）
図１〜図４に基づいて本発明の第１の実施形態を説明する。図１、図２において計器装置は、背面カバー１と、前面カバー２とで構成される空間内に後述する内機を収納してなる。
【００１６】
背面カバー１は、例えば遮光性を有する合成樹脂によって前方が開口する有底枠体に形成されている。
【００１７】
前面カバー２は、遮光性を有する合成樹脂からなる見返し部材２１の前方側開口に透光性を有する合成樹脂からなる透視板２２を組付けてなり、透視板２２を通じて見返し部材２１と前記内機の表示部が視認可能に構成されている。
【００１８】
前記内機は、回路基板３と、第１，第２の駆動装置４，５と、光源Ｌと、反射体６と、導光体７と、第１，第２の文字板８，９と、第１，第２の指針Ｐ１，Ｐ２と、装飾リングＲとで構成されている。
【００１９】
回路基板３は、例えばガラスエポキシ系材料または紙フェノールからなる硬質の絶縁部材を基材とするもので、図示しない回路パターンが印刷形成されている。この回路基３板には、図示しない回路素子の他、光源Ｌや駆動装置４，５が実装されている。
【００２０】
第１，第２の駆動装置４，５は、同じものが適用され、それぞれが指針軸Ｓを有するステッピングモータからなる。これらステッピングモータは、回路基板２の背面側に本体部が装着され、指針軸Ｓは回路基板２を貫通して前方に突出（貫通）している。
【００２１】
光源Ｌは、例えば発光ダイオードからなり、図１中、右側に位置する第１の指針Ｐ１の下方に対応する回路基板３の前方側箇所に一個だけ配置されている。
【００２２】
反射体６は、例えば乳白色の合成樹脂からなり、回路基板３の前面に配置され、導光体７によって導かれた光を文字板８側に反射する。この反射体６は、複数の文字板８を包含する大きさに形成され、第１の文字板８に第１の空間部Ｋ１を隔てて対向する第１の反射部６１と、第２の文字板９に第２の空間部Ｋ２を隔てて対向する第２の反射部６２と、第１の反射部６１の外周を取り巻く周壁部６３と、第１，第２の駆動装置４，５の指針軸Ｓを通す筒部６４と、光源Ｌに対応した採光部６５とを備えている。
【００２３】
第１の反射部６１は、導光体７が左右に横切る図１のＡ−Ａ断面に対応する箇所が図２に示すように左右方向にフラットに形成され、図１のＡ−Ａ断面に直交するＢ−Ｂ断面に対応する箇所が図３に示すように、右側（図１では上側）に向かって次第に第１の文字板８に近づく傾斜面（湾曲面）に形成されている。このように第１の反射部６１を傾斜させることで導光体７から遠い箇所の反射効率を高めている。
【００２４】
第２の反射部６２は、第２の文字板９の少なくとも後述する第２の指標部側が図２中、左側に向かうに従って第２の文字板９に近づく傾斜面（湾曲面）に形成されている。このように第２の反射部６１を傾斜させることで導光体７から遠い箇所の反射効率を高めている。
【００２５】
周壁部６３は、第１の文字板８を背後から支持できるように第１の反射部６１の外周部から前方に延びている。また第１の反射部６１と第２の反射部６２の接続部上に位置する周壁部６３箇所には、導光体７を通すための切り欠き部６６（図４参照）が形成されている。
【００２６】
筒部６４は、指針軸Ｓの軸方向に開口し、指針軸Ｓが通ると共に図示しない指針用の光源が収納される。
【００２７】
採光部６５は、光源Ｌに対応した孔部として形成され、光源Ｌの照射光を導光体７に入射させる。
【００２８】
導光体７は、アクリル樹脂、ポリカーボネート等の透光性合成樹脂からなり、長手状に延びる棒状体として形成され、第１の空間部Ｋ１の内部を横切るように第１の反射部６１と第１の文字板８との間に配置される第１の導光部７１と、第２の反射部６２と第２の文字板９との間に形成される第２の空間部２内に配置される第２の導光部７２とを有している。
【００２９】
第１の導光部７１は、第１の指針Ｐ１の回転中心Ｃ１に隣接した箇所（この場合、筒部６４の側方）を通って図１、４中、左右方向に直線状に延び、また第２の導光部７２は、第２の指針Ｐ２の回転中心Ｃ２を外れた隣接箇所（この場合、筒部６４の側方）を通って図１、４中、円弧状に延び、これにより導光体７は、第１，第２の指針Ｐ１，Ｐ２の各回転中心Ｃ１，Ｃ２に隣接した箇所を各回転中心Ｃ１，Ｃ２を迂回するように配置されている。
【００３０】
第１の導光部７１は、筒部６４に隣接し且つ採光部６５に対応する背面箇所が光源Ｌに向けて突出し、この突出箇所に先端に凸レンズ形状の集光面からなる受光部７１１が形成され、この受光部７１１に対向する前面箇所には、受光部７１１からの光を延長方向に反射する受光反射部７１２が形成されている。また第１の導光部７１の側面の適宜箇所には、第１の導光部７１を延長方向に進む光を第１の文字板８の後述する第１の指標部側に出射させるための反射部７１３が形成され、この反射部７１３にて反射した光は、反対側の側面である出射面７１４から前記第１の指標部に向けて出射される。
【００３１】
第２の導光部７２は、その円弧状部分と先端部の各側面に第２の導光部７２内に導かれた光を第２の文字板９の後述する指標部に向けて出射するための出射面７１５を有している。
【００３２】
第１の文字板８は、第１の指針Ｐ１等と共に後述する速度計からなる第１の指針式表示部を形成するもので、例えばスクリーン印刷やデジタル印刷手段により印刷形成された周知な印刷文字板であり、指針P１に対応した透光性を有する数字、目盛等の第１の指標部８１を有し、反射体６の前方に配置される。
【００３３】
第２の文字板９は、第２の指針Ｐ２等と共に後述する燃料計からなる第２の指針式表示部を形成するもので、例えばスクリーン印刷やデジタル印刷手段により印刷形成された周知な印刷文字板であり、指針P２に対応した透光性を有する数字、目盛等の第２の指標部９１を有し、反射体６の前方に配置される。なおこの第２の文字板９は第１の文字板８よりも小さく、また第２の指標部９１は第１の指標部８１よりも小さく、第１の指針Ｐ１は、第１の指針Ｐ１よりも小さく形成されている。
【００３４】
以上のごとく構成される前記内機は、第１の駆動装置４と、この第１の駆動装置４によって動作する第１の指針Ｐ１と、この第１の指針Ｐ１の指示対象となる第１の指標部８１を有する第１の文字板８とで第１の指針式表示部ＰＤ１が構成され、第２の駆動装置５と、この第２の駆動装置５によって動作する第２の指針Ｐ２と、この第２の指針Ｐ２の指示対象となる第２の指標部９１を有する第２の文字板９とで第２の指針式表示部ＰＤ２が構成される。
【００３５】
このように構成された前記内機において、光源Ｌが点灯すると、その光は、受光部７１１を通じて導光体７内に入射し、受光反射部７１２を通じて導光体７の延長方向に反射され、第１の導光部７１内を進むと共に、第１の導光部７１を経て第２の導光部７２内を進む。
【００３６】
第１の導光部７１内を進む光は、反射部７１３による反射にて出射面７１４から第１の空間部Ｋ１内に放射される他、出射面７１４以外の外面（この場合、背面を除く）からも第１の空間部Ｋ１内に放射され、第１の反射部６１と第１の文字板８背面との相互反射を繰り返しながら拡散され、この拡散光で第１の指標部８１を照明する。
【００３７】
一方、第２の導光部７２内を進む光は、出射面７１５から第２の空間部Ｋ２内に放射される他、出射面７１５以外の外面（この場合、背面を除く）からも第２の空間部Ｋ２内に放射され、第２の反射部６２と第２の文字板９背面との相互反射を繰り返しながら拡散され、この拡散光で第２の指標部９１を照明する。
【００３８】
以上のように、本実施形態では、第１の駆動装置４と、この第１の駆動装置４によって動作する第１の指針Ｐ１と、この第１の指針Ｐ１の指示対象となる第１の指標部８１を有する第１の文字板８とで構成される第１の指針式表示部ＰＤ１と、第２の駆動装置５と、この第２の駆動装置５によって動作する第２の指針Ｐ２と、この第２の指針Ｐ２の指示対象となる第２の指標部９１を有する第２の文字板９とで構成される第２の指針式表示部ＰＤ２と、第１，第２の文字板８，９の背後に配置される導光体７と、この導光体７を通じて第１，第２の指標部８１，９１を照明する光源Ｌと、この光源Ｌからの光を反射する反射体６とを備え、第１の指針式表示部ＰＤ１と第２の指針式表示部ＰＤ２とが隣接してなる計器装置において、反射体６が第１の文字板８と第１の空間部Ｋ１を隔てて対向する第１の反射部６１と、第２の文字板９と第２の空間部Ｋ２を隔てて対向する第２の反射部６２とを有し、導光体７は長手状に延びる棒状体に形成され、第１の空間部Ｋ１内に配置される第１の導光部７１と、前記第２の空間部Ｋ２内に配置される第２の導光部７１とを連続して有することにより、棒状の導光体７と反射体６との組み合わせにより、複数の指針式表示部ＰＤ１，ＰＤ２からなる広い範囲を照明でき、軽量化とコストダウンを達成できる。
【００３９】
また本実施形態は、導光体７が第１，第２の指針Ｐ１，Ｐ２の各回転中心Ｃ１，Ｃ２に隣接した箇所を各回転中心Ｃ１，Ｃ２を迂回するように配置されることにより、指針Ｐ１，Ｐ２の回転中心Ｃ１，Ｃ２を基準に形成される各指標部８１，９１を効率よく照明することができる。
【００４０】
また本実施形態は、第２の指針式表示部ＰＤ２が第１の指針式表示部ＰＤ１よりも小さく形成され、光源Ｌは第１の空間部Ｋ１内に配置され、第２の指針式表示部ＰＤ２の指標部９１は第１の空間部Ｋ１内に配置された光源からの光によって照明されることにより、サイズの大きい第１の指針式表示部ＰＤ１側に配置した光源Ｌによって第１，第２の指針式表示部ＰＤ１，ＰＤ２の双方を照明でき、光源を削減しながらも効率よく照明することができる。
【００４１】
また本施形態では、導光体７が当該導光体７内を進行する光をその延長方向とは異なる所定方向に向けて出射させるための反射部７１３を有することにより、指標部８１を広範囲に効率よく照明することができる。
【００４２】
（第２の実施形態）
図５、図６に基づいて本発明の第２の実施形態を説明する。        
本実施形態による計器装置は、三つの指針式表示部ＰＤ１，ＰＤ２，ＰＤ３を適用したものである。
【００４３】
すなわち、第１，第２の指針式表示部ＰＤ１，ＰＤ２は、前記第１の実施形態と同じであるが、第１の指針式表示部ＰＤ１の右側に第２の指針式表示部ＰＤ２と同じ大きさの第３の指針式表示部ＰＤ３が追加され、第１の指針式表示部ＰＤ１を基準として第２の指針式表示部ＰＤ２と略線対称となるように配置されている。
【００４４】
第３の指針式表示部ＰＤ３は、例えば水温計からなるもので、第３の文字板１００と、第３の指標部１０１と、第３の指針Ｐ３とを備えている。
【００４５】
導光体７は、第１，第２の文字板８，９対応の第１，第２の導光部７１，７２に加え、第３の文字板１００対応の第３の導光部７３を備え、第３の導光部７３は、第１の導光部７１を基準としたとき第２の導光部７２と線対称の位置関係となるように第１の導光部７１から延長形成されている。なおこの場合、第１の導光部７１は、前記第１の実施形態の直線形状とは異なり、若干逆Ｖ字に湾曲した形状に設定され、反射部７１３は、側面の両方に形成されている。
【００４６】
このように構成される本実施形態によっても前記第１の実施形態と同様の効果を期待できる。
【００４７】
なお前記実施形態では、指針式表示部が３つ隣接して配置された計器装置を説明したが、指針式表示部の一は任意であり、例えば２眼式の計器装置の場合、指針を照明する光の輝度が十分であるならば、光源Ｌを一つとすることもできる。
【００４８】
また前記実施形態では、導光体７を一本だけ配置したが、例えば光源と共に補足的に追加配置してもよい。この際、追加配置される導光体は導光体７と交わるように配置したり、導光体７と一体形成してもよい。
【００４９】
また導光体７は棒状体に限らず、線状体であれば、適宜形状が適用可能であり、例えば環状に形成したり、特定の文字形状（一例としてＸ、Ｚ、Ｍ、Ｋ、Ｙ等のアルファベット文字形状）であってもよい。
【００５０】
また複数の光源Ｌを適用する場合は、導光体７に受光部７１１や受光反射部７１２を複数形成すればよい。
【００５１】
（第３の実施形態）
図７から図１０に基づいて本発明の第３の実施形態を説明する。  
本実施形態による計器装置は、三つの指針式表示部ＰＤ１，ＰＤ２，ＰＤ３を適用したものである。
【００５２】
すなわち、第１，第２の指針式表示部ＰＤ１，ＰＤ２は、前記第１、第２の実施形態と同じであるが、第１の指針式表示部ＰＤ１の右側に第２の指針式表示部ＰＤ２と同じ大きさの第３の指針式表示部ＰＤ３が追加され、第１の指針式表示部ＰＤ１を基準として第２の指針式表示部ＰＤ２と略線対称となるように配置されている。
【００５３】
第３の指針式表示部ＰＤ３は、例えば水温計からなるもので、第３の文字板１００と、第３の指標部１０１と、第３の指針Ｐ３とを備えている。
【００５４】
導光体７は、第１，第２の文字板８，９対応の第１，第２の導光部７１，７２に加え、第３の文字板１０対応の第３の導光部７３を備え、第３の導光部７３は、第１の導光部７１を基準としたとき第２の導光部７２と線対称の位置関係となるように第１の導光部７１から延長形成されている。なおこの場合、第１の導光部７１は、前記第１の実施形態のように直線形状とし、第１の指針Ｐ１の回転中心Ｃ１を中心として左右に延長しているが、導光体７は第１から第３の指針Ｐ１、Ｐ２、Ｐ３の回転中心Ｃ１、Ｃ２、Ｃ３上に連続して設けられている。
【００５５】
また、導光体７は、指針軸Ｓと対応する箇所に指針軸Ｓが貫通するための貫通孔Ｈが設けられており、貫通孔Ｈの周縁近傍には、光源Ｌの光を各指針Ｐ１、Ｐ２、Ｐ３方向に反射させるための第１、第２及び第３の反射体７１１ａ、７１１ｂ（図示せず）、７１１ｃが、貫通孔Ｈの近傍であってなおかつ光源Ｌ側に設けられている。
【００５６】
また、導光体７は、各指標部８１、９１、１０１に向けて出射するための出射面７１４、７１５、７１６に例えばシボ加工を施してなるシボ部７１７が設けられている。このシボ部７１７によって、光を多様な方向へ拡散することができ、各指標部８１、９１、１０１の照明むらを抑えることが期待できる。
【００５７】
このように構成された前記内機において、光源Ｌが点灯すると、その光は、受光部７１１を通じて導光体７内に入射し、受光反射部７１２を通じて導光体７の延長方向に反射され、第１の導光部７１内を進むと共に、第１の導光部７１を経て第２の導光部７２及び第３の導光体７３内を進む。
【００５８】
第１の導光部７１内を進む光は、出射面７１４のシボ部７１６から第１の空間部Ｋ１内に放射される他、出射面７１４以外の外面（この場合、背面を除く）からも第１の空間部Ｋ１内に放射され、第１の反射部６１と第１の文字板８背面との相互反射を繰り返しながら拡散され、この拡散光で第１の指標部８１を照明する。
【００５９】
また第１の導光部７１を進み第１の反射体７１１ａに到達した光は、詳細は省くが、第１の反射体７１１ａによって第１の指針Ｐ１の基部（図示せず）方向に反射され、第１の指針Ｐ１を照明する。
【００６０】
一方、第２の導光部７２内を進む光は、出射面７１５から第２の空間部Ｋ２内に放射される他、出射面７１５以外の外面（この場合、背面を除く）からも第２の空間部Ｋ２内に放射され、第２の反射部６２と第２の文字板９の背面との相互反射を繰り返しながら拡散され、この拡散光で第２の指標部９１を照明する。
【００６１】
また第２の導光部７２を進み第２の反射体７１１ｂに到達した光は、詳細は省くが、第２の反射体７１１ｂによって第２の指針Ｐ２の基部（図示せず）方向に反射され、第２の指針Ｐ２を照明する。
【００６２】
一方、第３の導光部７３内を進む光は、出射面７１６から第３の空間部Ｋ３内に放射される他、出射面７１６以外の外面（この場合、背面を除く）からも第３の空間部Ｋ３（図示せず）内に放射され、第３の反射部６３と第３の文字板１００の背面との相互反射を繰り返しながら拡散され、この拡散光で第３の指標部１０１を照明する。
【００６３】
また第３の導光部７３を進み第３の反射体７１１ｃに到達した光は、詳細は省くが、第３の反射体７１１ｃによって第３の指針Ｐ３の基部（図示せず）方向に反射され、第３の指針Ｐ３を照明する。
【００６４】
このように構成される本実施形態によっても前記第１の実施形態及び第２の実施形態と同様の効果を期待できる。また、指針基部の近くである貫通穴Ｈの周囲に反射体７１１ａ、７１１ｂ、７１１ｃの面積を大きく確保できるため指針の基部方向に効率よく照射でき指針Ｐ１、Ｐ２、Ｐ３を照明できる。
【００６５】
なお前記実施形態では、３つの指針式表示部を隣接して配置した計器装置を説明したが、例えば２つの指針式表示部を用いた計器装置の場合、指針に向けて照射される輝度が確保できるのでれば、光源Ｌを一つのみとしてもよい。
【００６６】
また前記実施形態では、指標部８１、９１、１０１に向けて出射するための出射面７１４、７１５、７１６にシボ部７１７が設けられた例を説明したが、シボ部７１７は指標部８１、９１、１０１とは導光体７を挟んで反対側に設けられていてもよく、この場合、図７に示したような液晶などからなる表示部を照明することもできる。
【符号の説明】
【００６７】
１  背面カバー
２  前面カバー
３  回路基板
４，５  第１，第２の駆動装置
６  反射体
７  導光体
８，９  第１，第２の文字板
２１  見返し部材
２２
透視板
６１  第１の反射部
６２  第２の反射部
６３  周壁部
６４  筒部
６５  採光部
６６  切り欠き部
７１  第１の導光部
７２  第２の導光部
７３  第３の導光部
８１  第１の指標部
９１  第２の指標部
１００  第３の文字板
１０１  第３の指標部
７１１  受光部
７１１ａ  第１の反射体
７１１ｃ  第３の反射体
７１２  受光反射部
７１３  反射部
７１４  出射面
７１５  出射面
７１６  出射面
７１７  シボ部（光拡散部）
Ｃ１，Ｃ２  回転中心
Ｋ１  第１の空間部
Ｋ２  第２の空間部
Ｌ  光源
Ｐ１〜Ｐ３  第１〜第３の指針
ＰＤ１，ＰＤ２，ＰＤ３  第１〜第３の指針式表示部
Ｒ  装飾リング
Ｓ  指針軸
Ｈ  貫通孔
【図１】
2012073220.tif 000003
【図２】
2012073220.tif 000004
【図３】
2012073220.tif 000005
【図４】
2012073220.tif 000006
【図５】
2012073220.tif 000007
【図６】
2012073220.tif 000008
【図７】
2012073220.tif 000009
【図８】
2012073220.tif 000010
【図９】
2012073220.tif 000011
【図１０】
2012073220.tif 000012